(57)【要約】【課題】残像をキャンセルしてクリアな画像表示を可能にする。【解決手段】  電気光学物質を挟んで配置された一対の基板に形成される複数の走査線及び複数のデータ線と、前記複数の走査線と複数のデータ線との各交点に対応してマトリクス状に設けられた複数の画素に夫々設けられたスイッチング素子と、映像信号の１水平期間に前記複数の走査線のうちの２つの走査線に選択信号を供給する走査信号供給手段と、前記走査信号供給手段によって１水平期間に選択された２つの走査線の一方に対応する各画素に、前記データ線を介して前記映像信号に基づくデータ信号を供給し、他方に対応する各画素に、前記データ線を介して固定レベルの信号に基づくデータ信号を供給するデータ信号供給手段と、具備したことを特徴とする。【選択図】      図１
2007010945.tif 000002
【特許請求の範囲】
【請求項１】
走査線と、
データ線と、
前記走査線と前記データ線との交差に対応して設けられた画素に夫々設けられたスイッチング素子と、
１水平走査期間を２つに分割し、当該分割された各期間に対して所定の走査間隔を設けて選択信号を供給する走査信号供給手段と、
前記走査信号供給手段によって分割された走査期間の一方の選択期間において、前記データ線を介して階調信号に基づくデータ信号を供給し、他方の選択期間において、前記データ線を介して固定レベルの信号に基づくデータ信号を供給するデータ信号供給手段と、
を具備したことを特徴とする液晶表示装置。
【請求項２】
前記走査信号供給手段は、前記選択信号を供給する２つの走査線を１水平期間毎に１ラインずつシフトさせることを特徴とする請求項１に記載の液晶表示装置。
【請求項３】
前記データ信号供給手段は、前記固定レベルの信号として黒レベルの信号を設定することを特徴とする請求項１に記載の液晶表示装置。
【請求項４】
前記スイッチング素子は、前記データ線からのデータ信号を前記画素における画素電極に供給することを特徴とする請求項１に記載の液晶表示装置。
【請求項５】
前記スイッチング素子は、２端子素子であることを特徴とする請求項１に記載の液晶表示装置。
【請求項６】
請求項１乃至５のいずれか１項に記載の液晶表示装置を用いて構成したことを特徴とする電子機器。
【発明の詳細な説明】
【技術分野】
【０００１】
本発明は、動画像の表示に好適な液晶表示装置及び電子機器に関する。
【背景技術】
【０００２】
液晶表示装置は、ガラス基板、石英基板等の２枚の基板間に液晶を封入して構成される。各基板には電極を設け、電極に印加する駆動信号によって、各基板の電極相互間の液晶の光学特性を変化させる。即ち、各基板の電極相互間の液晶に画像信号に基づく電圧を印加することで、各画素の光の透過率を画像信号に応じて変化させて画像表示を行うのである。
【０００３】
アクティブマトリクス駆動方式の液晶表示装置においては、一方の基板の電極にはスイッチング素子を介して駆動信号を供給する。スイッチング素子として、ＴＦＴ（薄膜トランジスタ）駆動素子を用いたものの他に、ＭＩＭ駆動素子等の双方向ダイオード特性を有する２端子型非線形素子を用いたものがある。ＭＩＭ駆動素子等は、急峻なしきい値を持つため、スイッチング素子を用いない単純マトリクス駆動方式と比較すると画素間におけるクロストークの問題が少ない点で有利であり、ＴＦＴ駆動素子と比較すると、素子構成や製造工程が比較的簡易な点で有利である。
【０００４】
この種のＭＩＭ駆動素子等を用いた液晶表示パネルにおける階調表示は、データ側ドライバ回路として２値ドライバ回路を使用し、例えばＰＷＭ（パルス幅変調）のように、各駆動素子を選択する期間である１選択期間中のデータ信号の２値（オン又はオフ）を取る時間的な割合を階調レベルに応じて制御することにより行うのが一般的である。
【０００５】
即ち、各走査線（電極）に、選択期間を規定する幅及びＭＩＭ駆動素子のしきい値電圧よりも低い所定の電圧値（波高値）を有するパルス状の走査信号ＶＳを供給する。他方で、この選択期間に、走査線に液晶を挟んで対向する画素電極に対して、データ線からＭＩＭ駆動素子を介して所定の電圧値（波高値）を有するパルスからなるデータ信号ＶＤを供給する。
【０００６】
選択期間内における、これらの電圧値の差（ＶＳ−ＶＤ）がＭＩＭ駆動素子のしきい値電圧を越えるように設定しておけば、両者が供給された画素においてのみＭＩＭ駆動素子がオン状態とされる。この結果、液晶を挟んで走査線（対向電極）及び画素電極間に電圧が充電され、即ち液晶には印加電圧が印加される。
【０００７】
選択期間以外の期間はＭＩＭ駆動素子はオフであり、ＭＩＭ駆動素子及び液晶層の抵抗は十分に高く、液晶層の印加電圧は保持される。従って、各画素の液晶層に電荷を印加するのは一部の期間のみでよい。従って、液晶表示装置では、水平及び垂直方向に夫々延在する走査線及びデータ線の交点に対応してマトリクス状に画素を構成して、走査線及びデータ線を複数の画素について共通化した時分割駆動が可能となる。
【０００８】
即ち、液晶表示装置では、同一データ線に接続された複数の画素電極のうち、選択された走査線に対向する画素電極のみが選択期間となって書込みが行われ、他の走査線に対向する画素電極は非選択期間となって、書込みまれた電圧を保持する。走査線を順次選択することで、１画面の表示が可能である。
【０００９】
このようなＭＩＭ液晶表示装置の駆動方法については、特許文献１等に詳述されている。
【特許文献１】特開２００２−４０９７８公報
【発明の開示】
【発明が解決しようとする課題】
【００１０】
上述したように、液晶は、電気的には、容量成分を有し、印加された電圧を保持する。書込まれた電圧を次の選択期間まで保持することで、時分割駆動が行われる。
【００１１】
しかしながら、液晶の容量成分によって、液晶の応答速度は遅く、動きがある画像を表示する場合には、前フレームの書込み画像が残像として表示されてしまう。このため、液晶表示装置では、ぼけた画像が表示されやすいという問題点があった。
【００１２】
本発明はかかる問題点に鑑みてなされたものであって、１水平期間において画像と例えば黒レベルとを異なるラインに書込むことによって、黒表示により画像を初期化して残像を除去し、クリアな画像を表示することができる液晶表示装置及び電子機器を提供することを目的とする。
【課題を解決するための手段】
【００１３】
本発明に係る液晶表示装置は、走査線と、データ線と、前記走査線と前記データ線との交差に対応して設けられた画素に夫々設けられたスイッチング素子と、１水平走査期間を２つに分割し、当該分割された各期間に対して所定の走査間隔を設けて選択信号を供給する走査信号供給手段と、前記走査信号供給手段によって分割された走査期間の一方の選択期間において、前記データ線を介して階調信号に基づくデータ信号を供給し、他方の選択期間において、前記データ線を介して固定レベルの信号に基づくデータ信号を供給するデータ信号供給手段と、具備したことを特徴とする。
【００１４】
このような構成によれば、走査信号供給手段は、１水平走査期間を２つに分割し、当該分割された各期間に対して所定の走査間隔を設けて選択信号を供給する。そして、データ信号供給手段は、走査信号供給手段によって分割された一方の期間に対応する各画素に、データ線を介して階調信号に基づくデータ信号を供給し、他方の期間に対応する各画素に、固定レベルの信号に基づくデータ信号を供給する。これにより、同一水平期間において、２つの期間の一方の期間に対応する各画素には階調表示が行われ、他方の期間に対応する各画素には固定レベルの表示、例えば黒表示が表示される。この黒表示によって、黒表示が行われた走査線に対応する各画素に対する以前の映像の書込みが消去され、残像の発生が防止される。
【００１５】
また、前記走査信号供給手段は、前記選択信号を供給する２つの走査線を１水平期間毎に１ラインずつシフトさせることを特徴とする。
【００１６】
このような構成によれば、黒表示は順次シフトする。従って、画面上では黒表示を目立たなくすることができると共に、以前の映像の書き込みを全ての領域において消去することができ、残像を防止することができる。
【００１７】
また、前記データ信号供給手段は、前記固定レベルの信号として黒レベルの信号を設定することを特徴とする。
【００１８】
このような構成によれば、黒表示によって、以前の書込みの映像を確実に消去することができ、残像を防止することができる。
【００１９】
また、前記スイッチング素子は、前記データ線からのデータ信号を前記画素における画素電極に供給することを特徴とする。
【００２０】
また、前記スイッチング素子は、２端子素子であることを特徴とする。
【００２１】
また、本発明に係る電子機器は、上記液晶表示装置を用いて構成したことを特徴とする。
【００２２】
このような構成によれば、残像の発生を防止することができ、クリアな表示を可能にする共に、動きの速い画像についても明瞭な表示が可能である。
【発明を実施するための最良の形態】
【００２３】
以下、図面を参照して本発明の実施の形態について詳細に説明する。図１は本発明の一実施の形態に係る液晶表示装置を示すブロック図である。本実施の形態における液晶表示装置は２端子スイッチング素子であるＴＦＤ（Thin Film Diode：薄膜ダイオード）を用いたものである。図２は図１中の液晶パネル１０の全体構造を概略的に示す斜視図である。また、図３は隣接する２つの画素領域の構造を示す斜視図である。
【００２４】
＜構成＞
図１において、液晶パネル１０には、表示領域において、走査線（コモン電極）２１が行（Ｘ）方向に複数延在して形成される一方、データ線（セグメント電極）３１が列（Ｙ）方向に複数延在して形成される。ｍ本（図１では３２０本）の走査線２１とｎ本（図１では１６０本）のデータ線３１との各交差に対応してｍ×ｎ個のマトリクス状に画素４０が形成されている。
【００２５】
液晶パネル１０は、図２に示すように、一対の基板１１，１２を対向配置し、両基板相互間に液晶１３を封入した構成である。即ち、観察者側に位置する対向基板１２と、その背面側に位置する素子基板１１とが、スペーサを兼ねる導電性粒子が混入されたシール材１５によって一定の間隙を保って貼り合わせられている。両基板１１，１２の間隙に、例えばＴＮ（Twisted Nematic）型の液晶１３が封入された構成となっている。
【００２６】
各基板１１，１２に、走査線２１、データ線３１及びＴＦＤ４１を構成するようになっている。例えば、図３に示すように、素子基板１１上にデータ線３１を形成し、対向基板１２上に走査線２１を形成する。なお、図２では図面の簡略化のために、走査線２１及びデータ線３１は、幅を有していない破線にて示している。
【００２７】
対向基板１２の液晶対向面には、行（Ｘ）方向に延在して形成されるｍ本の走査線２１のほか、図示しない配向膜が形成されてラビング処理が所定の方向に施されている。対向基板１２に形成された走査線２１は、シール材１５に混入された導電性粒子（図示せず）を介して、各走査線２１と１対１に対応する配線２１ｃ（図２参照）であって、素子基板１１に形成された配線２１ｃの一端に接続されている。即ち、対向基板１２に形成された走査線２１は、導電性粒子および配線２１ｃを介して、素子基板１１側に引き出された構成となっている。
【００２８】
また、素子基板１１の液晶対向面には、Ｙ（列）方向に延在して形成されるｎ本のデータ線３１に隣接して、各走査線２１の幅に対応した矩形状の画素電極４３（図２では図示省略）が形成されるほか、配向膜（図示省略）が形成されてラビング処理が所定の方向に施されている。
【００２９】
図３に示すように、各データ線３１と、各データ線３１に隣接する画素電極４３との間には、夫々スイッチング素子の一例であるＴＦＤ４１が形成されている。ＴＦＤ４１がオンとなることで、各データ線３１の１列当たりｍ個の画素電極４３は、各データ線３１を介してデータ信号が供給される。
【００３０】
なお、ＴＦＤ４１は、タンタル単体やタンタル合金等から形成されて、データ線３１に接続された第１の導電体４１ａと、この第１の導電体４１ａを陽極酸化して形成される絶縁体４１ｂと、絶縁体４１ｂ上に形成されて画素電極に接続されるクロム等の第２の導電体４１ｃとによって構成される。このように、ＴＦＤ４１は、導電体／絶縁体／導電体のサンドイッチ構造を有し、電流−電圧特性が正負双方向にわたって非線形となるダイオードスイッチング特性を有する。
【００３１】
素子基板１１上の各画素電極４３は液晶１３を介して対向基板１２上の走査線（コモン電極）２１と対向する。液晶１３は電気的には液晶容量として表すことができる。図１に示すように、走査線２１とデータ線３１との間には、液晶１３、画素電極４３（図１では図示省略）及びＴＦＤ４１が介在することになる。即ち、電気的に見れば、各画素４０は、液晶１３及びＴＦＤ４１による容量の直列接続によって構成される。
【００３２】
また、素子基板１１の上面に形成された絶縁体４２は、透明性および絶縁性を有するものである。この絶縁体４２が形成される理由は、第２の導電体４１ｃの堆積後における熱処理により、第１の導電体４１ａが剥離しないようにするため、および、第１の導電体４１ａに不純物が拡散しないようにするためである。したがって、これらが問題とならない場合には、絶縁体４２は省略可能である。
【００３３】
液晶パネル１０を構成する素子基板１１上には、画素４０が構成された表示領域以外の領域において、走査線２１及びデータ線３１を駆動するためのＹドライバ５１及びＸドライバ５２が形成されている。走査信号供給手段としてのＸドライバ５１及びデータ信号供給手段としてのＹドライバ５２は、ＣＯＧ（Chip On Glass）技術により実装されている。Ｙドライバ５１は、走査線２１に走査信号を供給し、Ｘドライバ５２はデータ線３１にデータ信号を供給する。なお、図３ではＹドライバ５２及びＸドライバ５１はドライバ部５５として素子基板１１上に実装されている例を示している。
【００３４】
また、素子基板１１上には、ＦＰＣ（Flexible Printed Circuit）基板１６等が取り付けられて、制御回路５３及び駆動電圧生成回路５４からの各種信号がＹドライバ５１及びＸドライバ５２に供給されるようになっている。
【００３５】
なお、図１におけるドライバ部５５（Ｙドライバ５１及びＸドライバ５２）の素子基板１１上の配置は一例を示したものであり、図２の配置に限定されるものではない。また、Ｙドライバ５１及びＸドライバ５２を素子基板１１にＣＯＧ実装するのではなく、例えば、ＴＡＢ（Tape Automated Bonding）技術を用いて、各ドライバが実装されたＴＣＰ（Tape Carrier Package）を、基板の所定位置に設けられる異方性導電膜により電気的及び機械的に接続する構成としてもよい。
【００３６】
対向基板１２の外側（観察側）の面には図示しない偏光子が貼り付けられて、その吸収軸は、対向基板１２に形成した配向膜へのラビング処理の方向に対応して設定されている。また、素子基板１１の外側（観察側の反対側）の面にも図示しない偏光子が貼り付けられて、その吸収軸は、素子基板１１に形成した配向膜へのラビング処理の方向に対応して設定されている。
【００３７】
なお、図１では、図面の簡略化のために、走査線２１の総数を３２０本とし、データ線３１の総数を１６０本として、３２０行×１６０列のマトリクス型表示装置として説明するが、本発明をこれに限定する趣旨ではない。
【００３８】
Ｙドライバ５１は、第１行目〜第３２０行目の各走査線に夫々走査信号Ｙ１，Ｙ２，…，Ｙ３２０を与える。Ｙドライバ５１が走査信号を選択電圧とすることにより、当該走査線が選択されて、対応する画素が選択期間となる。選択期間の走査信号が選択電圧であるのに対し、非選択期間（保持期間）の走査信号は非選択電圧（保持電圧）に設定される。
【００３９】
一方、Ｘドライバ５２は、選択された走査線２１に位置する画素４０（画素電極４３）に対し、図１の例では、データ信号Ｘ１〜Ｘ１６０を、表示内容に応じてそれぞれ対応するデータ線３１を介して供給する。詳細には、選択期間において、各画素に対応するデータ信号は、対応するデータ線３１及びＴＦＤ４１を介して画素電極４３に供給される。
【００４０】
データ信号としては、正極性又は負極性の２つの電圧Ｖon，Ｖoffが用いられる。ＶonはＴＦＤ４１をオンにする電圧であり、ＶoffはＴＦＤ４１をオフにする電圧である。走査信号が選択電圧の場合にデータ信号としてＶonを与えると、画素４０はオン表示（例えば、ノーマリーホワイトモードにおいては黒色表示）となる。なお、走査信号が選択電圧の場合であってもデータ信号がＶoffのときには、画素４０はオフ表示（例えば、ノーマリーホワイトモードにおいては色色表示）となる。
【００４１】
更に、極性反転駆動を考慮すると、４値駆動法（（１／２）Ｈセレクト、１Ｈ反転）におけるデータ信号の電圧は、正極性の選択電圧を印加する場合には、画素４０をオン表示（例えば、ノーマリーホワイトモードにおいては黒色表示）とするときには−Ｖonとなり、画素４０をオフ表示（ノーマリーホワイトモードにおいては白色表示）とするときには＋Ｖoffとなる一方、負極性の選択電圧を印加する場合であって、画素４０オン表示とするときには＋Ｖonとなり、画素４０をオフ表示とするときには−Ｖoffとなる。
【００４２】
ＴＦＤ４１がオンとなり、走査信号及びデータ信号に基づく電圧が画素電極４３に印加されて、液晶１３はデータ信号に基づく透過率に変化する。Ｖon（Ｖoff）のパルス幅を画像に応じてＰＷＭ制御することによって、画素４０の透過率を制御して階調表示が可能である。
【００４３】
選択期間が終了すると、Ｙドライバ５１は次の選択期間まで走査信号を非選択電圧（保持電圧）に設定する。非選択期間においては、ＴＦＤ４１の抵抗は十分に大きく、液晶１３の抵抗も十分に大きいので、液晶１３の印加電圧は次の選択期間における書込みまで保持される。
【００４４】
本実施の形態においては、Ｙドライバ５１は表示させる画像の１ラインの画像期間（１水平期間）において、表示領域の２ラインの画素に書き込みを行うための走査信号を出力する。例えば、Ｙドライバ５１は、１水平期間の前半に所定の１走査線（以下、映像書込み走査線という）を選択電圧にすると共に、この水平期間の後半には映像書込み走査線と異なる走査線（以下、黒書込み走査線という）を選択電圧にするようになっている。
【００４５】
一方、Ｘドライバ５２は、映像書込み走査線が選択電圧となる１水平期間の前半の期間（以下、映像書込み期間という）において、入力映像信号に基づく幅の２つの電圧Ｖon，Ｖoffを、対応する画素のデータ線３１に供給する。
【００４６】
更に、本実施の形態においては、Ｘドライバ５２は、黒書込み走査線が選択電圧となる１水平期間の後半の期間（以下、黒書込み期間という）において、所定の固定レベル（例えば、黒レベル）に基づく幅の２つの電圧Ｖon，Ｖoffを、全データ線３１に供給する。Ｘドライバ５２は、黒書込み期間において、電圧Ｖoffのみを与えて黒レベルの信号をデータ線３１に供給してもよく、電圧Ｖon，Ｖoffのパルス幅を適宜設定して、所定のグレーレベルの信号をデータ線３１に供給してもよい。
【００４７】
なお、Ｘドライバ５２は、１水平期間の後半の期間に、映像信号に基づくデータ信号をデータ線３１に供給することで、１水平期間の後半を映像書込み期間とし、１水平期間の前半の期間に、黒レベルに基づくデータ信号をデータ線３１に供給することで、１水平期間の前半を黒書込み期間としてもよい。
【００４８】
また、映像書込み期間と黒書込み期間との時間比率は、適宜設定可能である。
【００４９】
制御回路５３は、Ｘドライバ５２及びＹドライバ５１に対して、各種制御信号やクロック信号等を供給して、両者を制御するものである。また、駆動電圧生成回路５４は、データ信号と、走査信号のうちの非選択電圧として兼用される電圧Ｖonと、走査信号のうちの選択電圧として用いられる電圧Ｖｓとをそれぞれ生成するものである。
【００５０】
本実施の形態においては、制御回路５３は、Ｘドライバ５２に対して、映像信号に基づくデータ信号を供給する共に、所定の固定レベル（例えば、黒レベル）を表示させるためのデータ信号を供給することができるようになっている。
【００５１】
なお、Ｙドライバ５１が映像書込み期間と黒書込み期間とを時分割に設定することで回路規模を大きくすることなく映像書込み及び黒書込みを可能にする例について説明したが、２つのＹドライバを設けることで、これらの期間を同時に設定するようにしてもよい。
【００５２】
＜作用＞
次に、このように構成された実施の形態の動作について図４及び図５を参照して説明する。図４はＹドライバ５１からの走査信号を説明するためのタイミングチャートであり、図５は本実施の形態における画面表示を説明するための説明図である。
【００５３】
本実施の形態においては、Ｙドライバ５１は、１水平期間１Ｈを前半と後半とに分け、夫々相異なる２つのラインの走査線に選択電圧Ｖｓを印加して選択期間とする。そして、Ｘドライバ５２は、一方の選択期間を映像信号に基づくデータ信号を書込む映像書込み期間とし、他方の選択期間を例えば黒レベルに基づくデータ信号を書込む黒書込み期間とする。
【００５４】
図４はこの状態を示している。図４（ａ）は奇数フレームの走査信号を示し、図４（ｂ）は偶数フレームの走査信号を示している。図４のＬｉｎｅ１〜Ｌｉｎｅ３２０は、夫々Ｙドライバ５１から出力される走査信号Ｙ１〜Ｙ３２０を示している。
【００５５】
例えば、図４（ａ）のＬｉｎｅ２に示すように、第２ラインの走査線に印加される走査信号Ｙ２が選択電圧Ｖｓとなる所定の水平期間ｈ２では、水平期間ｈ２の前半に走査信号Ｙ２は負極性の選択電圧となる。また、この水平期間ｈ２の後半には、第３１８ラインの走査信号Ｙ３１８は、図４（ａ）のＬｉｎｅ３１８に示すように、負極性の選択電圧となっている。即ち、この水平期間ｈ２には、前半において第２ラインの走査線が選択期間となり、後半において第３１８ラインの走査線が選択期間となる。
【００５６】
図４（ａ）の例では、この水平期間ｈ２には、第２ラインが黒書込み期間となり、第３１８ラインが映像書込み期間となっている。即ち、Ｘドライバ５２は、この水平期間ｈ２の前半に、制御回路５３から供給される映像信号に基づくデータ信号を、データ線３１を介して各画素４０に供給する。また、Ｘドライバ５２は、この水平期間ｈ２の後半に、制御回路５３から供給される黒レベルの信号に基づくデータ信号を、データ線３１を介して各画素４０に供給する。
【００５７】
従って、水平期間ｈ２においては、第２ラインには映像信号に基づく表示が行われ、第３１８ラインには黒表示が表示される。図４に示すように、Ｙドライバ５２は、１水平期間の前半と後半とに発生する選択電圧を、水平期間毎に１ラインずつ順次シフトする。従って、１水平期間毎に順次映像が表示されるラインが１ラインずつシフトする共に、黒表示が表示されるラインも１ラインずつシフトする。
【００５８】
こうして、表示領域においては、入力映像信号に基づく映像が表示されると共に、表示領域中の所定ライン幅で黒表示（黒帯）が表示される。この黒帯は１ラインずつシフトして、視覚上は観察されない。
【００５９】
図５はこの表示を説明するためのものである。図５において、斜線部は映像が表示されている領域を示し、塗り潰し部分は黒表示領域を示している。
【００６０】
図５（ａ）は第１ラインが映像書込み走査線ＬＰで、第Ｎラインが黒書込み走査線ＬＢであることを示している。図５（ｂ）は映像書込み走査線ＬＰが第Ｎ−１ラインに到達した状態を示している。
【００６１】
図５（ｂ）の次の水平期間には、映像書込み走査線ＬＰは第Ｎラインに到達して、黒表示を映像表示ＡＰに書き換える。一方、黒書込み走査線ＬＢは第２Ｎ＋１ラインに到達してこのラインを黒表示ＡＢとする。即ち、黒表示ＡＢの幅はＮラインのままである。以後、同様の動作が繰返され、図５（ｃ）〜図５（ｆ）に示すように、黒表示ＡＢはシフトしながら、映像表示ＡＰが表示される。
【００６２】
図４（ａ），（ｂ）に示すように、いずれのラインについても、奇数フレームの映像書込み期間から次に映像が書込まれる偶数フレームの映像書込み期間の所定期間前に黒書込み期間が設定されている。同様に、偶数フレームの映像書込み期間から次に映像が書込まれる奇数フレームの映像書込み期間の所定期間前に黒書込み期間が設定されている。従って、映像書込み期間において液晶に書込まれた電圧は、次の書込み期間の若干前の黒書込み期間において、黒レベルの電圧に強制的に変更される。即ち、各画素は、次の書込み直前に、前の書込みによる保持電圧が強制的に黒レベルに変更されることになり、残像がキャンセルされる。
【００６３】
このように本実施の形態においては、１水平期間において画像と例えば黒レベルとを異なるラインに書込むことによって、黒表示により画像を初期化して残像を除去している。これにより、クリアな画像を表示することができる。また、動きの速い画像についても明瞭な表示が可能である。
【００６４】
なお、黒表示の幅は、映像書込み走査線と黒表示を開始する黒書込み走査線との間隔によって決まり、適宜設定可能であることは明らかである。また、上記実施の形態においては、黒書込み期間に黒レベルの信号を画素に供給する例について説明したが、必ずしも黒レベルの信号を供給する必要はなく、所定レベルのグレー表示でも同様の効果が得られることは明らかである。
【００６５】
また、上記実施の形態においては、映像書込み期間と黒書込み期間とをいずれもＨ／２に設定したが、同一水平期間内に映像書込み期間及び黒書込み期間を設定すればよく、各期間の幅は適宜設定可能である。例えば、映像書込み期間を黒書込み期間よりも長い時間に設定してもよい。また、同一水平期間内であれば、映像書込み期間と黒書込み期間とが逆の順に設定されていてもよい。
【００６６】
＜電子機器＞
また、上述の液晶表示装置を用いた電子機器も本発明に含まれる。図６は電子機器の例を示す斜視図であり、携帯電話の外観を示している。図６に示すように、電子機器として携帯電話２００の表示部４２に、上述した液晶表示装置が用いられる。
【００６７】
他にも、電子機器としては、例えば、光源と該光源から出射された光を変調するライトバルブと、該ライトバルブにより変調された光を投射するための光学系を備えた、投射型表示装置である。さらに、電子機器としては、他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る液晶表示装置が適用可能なのは言うまでもない。
【図面の簡単な説明】
【００６８】
【図１】本発明の一実施の形態に係る液晶表示装置を示すブロック図。
【図２】図１中の液晶パネル１０の全体構造を概略的に示す斜視図。
【図３】隣接する２つの画素領域の構造を示す斜視図。
【図４】Ｙドライバ５１からの走査信号を説明するためのタイミングチャート。
【図５】本実施の形態における画面表示を説明するための説明図。
【図６】電子機器の例を示す斜視図。
【符号の説明】
【００６９】
１０…液晶パネル、２１…走査線、３１…データ線、４０…画素、４１…ＴＦＤ、１３…液晶容量、４３…画素電極、５１…Ｙドライバ、５２…Ｘドライバ、５３…制御回路、５４…駆動電圧生成回路。  
【図１】
2007010945.tif 000003
【図２】
2007010945.tif 000004
【図３】
2007010945.tif 000005
【図４】
2007010945.tif 000006
【図５】
2007010945.tif 000007
【図６】
2007010945.tif 000008